(57)【要約】後ろ向きでの頭部又は頭髪洗浄のためのネックライン（５）を有した後方洗面台（１）で、この際、前記ネックラインの領域には、柔軟性のある首部パッキング（６）が内張りされている。この首部パッキング（６）は中空室（７）を有しており、この際、前記首部パッキング（６）が折り畳み蛇腹（８）の形態で形成されている。この折り畳み部（９）は、前記ネックライン（５）の曲率を実質的に有している（図１及び３）。
2005503877.tif 000002
【特許請求の範囲】
【請求項１】
後ろ向きでの頭部又は頭髪洗浄のためのネックラインを有した後方洗面台で、前記ネックラインの領域が、柔軟性のある首部パッキングで内張りされているものにおいて、前記首部パッキング（６）が中空室（７）を有しており、この際、前記首部パッキング（６）が折り畳み蛇腹（８）の形態で形成されており、しかも、折り畳み部（９）が前記ネックライン（５）の曲率を実質的に有していることを特徴とする後方洗面台。
【請求項２】
前記首部パッキング（６）に、伸張可動装置（１０）が設けられていることを特徴とする請求項１に記載の後方洗面台。
【請求項３】
伸張可動装置（１０）として、圧縮空気発生器（１３）が、組み合わせ空気流入及び空気流出管（１４）を経て前記中空室（７）と連結していることを特徴とする請求項２に記載の後方洗面台。
【請求項４】
圧縮空気発生器（１３）として、排気弁（１６）を有した送風器（１５）が設けられていることを特徴とする請求項３に記載の後方洗面台。
【請求項５】
伸張可動装置（１０．１）として、前記中空室（７）が、組み合わされた水圧管（１９）と解除管（２０）に結合しており、この際、前記解除管（２０）に圧力解除弁（２１）が配置されていることを特徴とする請求項１に記載の後方洗面台。
【請求項６】
前記水圧管（１９）に、減圧器（２９）が設けられていることを特徴とする請求項５に記載の後方洗面台。
【請求項７】
前記伸張可動装置（１０，１０．１）が、約２０ｍｍの伸張可動範囲（Ａ）にて設けられていることを特徴とする請求項１に記載の後方洗面台。
【請求項８】
前記首部パッキング（６）がシリコーンから構成されていることを特徴とする請求項１に記載の後方洗面台。
【発明の詳細な説明】
【技術分野】
【０００１】
本発明は、請求項１の上位概念の類による後方洗面台に関するものである。
【背景技術】
【０００２】
一般に、理髪店にて使用されている頭部又は頭髪洗浄のための洗面台としては、磁器、金属又はプラスチックでできたものが世界的に普及している。この使用は、頭部の下の首の付け根の後側部分を、そのために設けられたネックラインの位置に載せることによって行われる。このような洗浄状態は、理髪客に不便をもたらすことがしばしばあったり、それどころか苦痛をもたらすことさえある。このことによって、以下のことが引き起こされる。即ち、
・脊柱の苦しい負担、
・洗面台のネックラインが適合しないことによる圧痛、
・冷たい後方洗面台材質による不快な感覚、
・ネックラインに液密性がないために、首に沿って背中及び衣服へ水が流れること。
【０００３】
請求項１の上位概念の類により形成されたものがＥＰ０１０３１１２Ａ１から公知であるが、この柔らかい弾性のある首部パッキングには、とりわけ個々の首の大きさに対して液密位置で不完全な気密性となるという設計上の制約があり、このような制約は、首への不完全な適合によるものである。又、このような後方洗面台には、磁器製の洗面台に最適化されたネックラインが予め設けられているため、首との最適な適合が得られず、これにより、このようなネックラインは、配置された首部パッキングによって一層狭くなる。
【発明の開示】
【発明が解決しようとする課題】
【０００４】
本発明の課題は、上記の欠点を有しない種類の後方洗面台を創作することである。特に、女性客の個々の首と後方洗面台の首部パッキングとの間に、最適で、かつ快適な液密状態が得られ、女性客への欠点のないものでなければならない。
【課題を解決するための手段】
【０００５】
このような課題は、請求項１の特徴部分によって解決される。本発明の更に有利なものは、従属項から明らかである。
【０００６】
本発明を、３つの実施例を用いて更に詳しく説明する。
【発明を実施するための最良の形態】
【０００７】
図１には、一般的にシャワーホース２、混合水栓３及び排水路４が設けられており、しかも後方へ倒れた状態での頭部又は頭髪洗浄のためのネックライン５を有した後方洗面台１が示されており、この際、ネックラインの領域５は、柔軟性があって液密性の首部パッキング６で内張りされている。この首部パッキング６には中空室７が設けられており、この際、首部パッキング６は折り畳み蛇腹８の形態で形成されている。この折り畳み部９は、ネックライン５の曲率を実質的に有している。この折り畳み蛇腹８は、中央にある伸張可動範囲Ａが約２０ｍｍとなるようにして形成されており、これによって、客の首部の位置での個々の適応が保証される。
【０００８】
図２は、客の首部での液密位置を自動調整するための首部パッキング６の第１の実施例を示すものであり、この際、首部パッキング６は中空室７を有しており、これは折り畳み蛇腹８の形態に従って形成されている。客の首部での調整は、折り畳み蛇腹８（中央の調整手段Ａ）の弾性によって行われる。閉鎖された折り畳み蛇腹８又は首部パッキング６内の空気が、万一の場合に加圧されるのを回避するために、適当な（下方側）位置に換気及び排気口Ｂを設けることができる。
【０００９】
図３には、図２に記載されるＸの詳細図が示されており、この際、特に後方洗面台１のネックライン５の領域には溝穴状の受容部１１が設けられており、これは首部パッキング６を収容する役目をしており、この際、このために補完的な受容部側面１２を有した首部パッキング６が設けられており、これは、受容部１１にしっかりと嵌め込まれている。後方洗面台１の受容部１１のネックライン５の曲率は、首部パッキング６のネックライン５の曲率よりも大きなものでなければならず、これにより、客の首の位置での個々の密封状態が可能であり、このことは全ての実施例について言える。
【００１０】
図４〜６は、首部パッキング６．１の第２の実施例を示す図であり、この際、客の首部での適合を図るために空気で中空室７を膨らませる目的で（中央の調整手段Ａ）、伸張可動装置１０として、圧縮空気発生器１３と中空室７とが、組み合わされた空気供給及び空気排気管１４を経て接続している。圧縮空気発生器１３としては、排気弁１６を有した送風器１５が設けられても良い。送風器１５を作動させることによって、個々の密着状態が調整される。密着座の調整及び緩和は、排気弁１６によって行う。
【００１１】
図６は、図５に記載される「Ｙ」の詳細を示す図であり、この図から、空気供給及び空気排気管１４と中空室７との結合部２６がより一層明らかである。
【００１２】
図７は、後方洗面台１の平面図における首部パッキング６．２の第３の実施例を示す図であり、この際、伸張可動装置１０．１として、客の首部での適合を図るために（中央の調整手段Ａ）好ましくは温度調節された水１８で中空室７を充填する目的で、組み合わされた水圧管１９と解除管２０を有した中空室７が設けられており、これは圧力解除弁２１（図８）と連結している。温度調節された水１８によって、客は首部において心地よい暖かい感覚を感じるという快適さが得られる。首部パッキング６．２の手による圧力軽減は作動部２２を経て行われ、これによって余剰の水１８は、圧力解除弁２１（図８）から、排水部４にある水路２３を経て流出される。切り換え部２４によって、切り換え弁２５（図１０）は選択的にシャワーホース２又は首部パッキング６．２への水供給のために操作される。
【００１３】
図８は、図７に記載される後方洗面台１の部分切断側面図であり、この図から、解除管２０と、水路２３を有した圧力解除弁２１の状態が詳しく示されている。
【００１４】
図９は、図８に記載される「Ｚ」の詳細図であり、この図から、首部パッキング６．２及び中空室７との解除管２０の結合部２６が詳しく示されている。
【００１５】
実施例は全て、好ましくはシリコンから製造された首部パッキング６、６．１、６．２の本体及び後方洗面台１との結合が同じである点で共通している。
【００１６】
図１０は、図７〜９に記載される第３の実施例の機能を示す機構図である。混合水栓３へは、冷水管２７と温水管２８がつながっており、これによって、予め設定された水温に調節することができ、これにより、万一の場合に客が冷たさを感じるのを回避することができる。この混合水栓３は切り換え弁２５と連結しており、これによって、選択的にシャワーホース２又は首部パッキング６．２に水１８を供給することができる。この首部パッキング６．２は、解除管２０を経て圧力解除弁２１と接続されており、これにより、過剰の水１８は排水部４に流出する。首部パッキング６．２の中空室７内の水圧を減少させる目的で、減圧器２９が設けられており、これは２．５〜６ｋｐ／ｃｍ２から０．５〜０．８ｋｐ／ｃｍ２にまで水圧を減少させる。
【００１７】
機能説明：
ネックライン５に首部を載せた後、混合水栓３により水を温度調節し、その後、切り換え弁２５を経て中空室７へ送る。圧力解除弁２１を素早く手で押すことで、首部パッキング６．２の負担が軽減され、これは、混合水栓３を経て調節可能な水量を充填するためである。個々の首部の輪郭に対して最適な適応を図る際、切り換え弁２５を切り換え、水をシャワーホース２の出口から流出させる。圧力が高すぎる場合には、圧力解除弁２１を素早く操作することにより、負荷の軽減を図る。過剰の水量は排水路４へ流れ出る。
【図面の簡単な説明】
【００１８】
【図１】図１は、第１の具体例としての、首部パッキングを有する後方洗面台を上方から見た図である。
【図２】図２は、図１に記載される後方洗面台の、図１の部分切断面ＩＩ−ＩＩにおける側面図である。
【図３】図３は、図２に記載される首部パッキングの「Ｘ」の詳細を示す図である。
【図４】図４は、第２の具体例としての、首部パッキングを有する後方洗面台を上方から見た図である。
【図５】図５は、空気を充填することが可能な首部パッキングを有する、図４に記載される後方洗面台の、図４の部分切断面Ｖ−Ｖにおける側面図である。
【図６】図６は、図４に記載の首部パッキングの、図４の「Ｙ」の詳細を示す図である。
【図７】図７は、第３の具体例としての、水を充填することが可能な首部パッキングを有した後方洗面台を上方から見た図である。
【図８】図８は、図７に記載される後方洗面台の、図７の部分切断面ＶＩＩＩ−ＶＩＩＩにおける側面図である。
【図９】図９は、図８に記載される首部パッキングの「Ｚ」の詳細を示す図である。
【図１０】図１０は、首部パッキングに水を入れるための機構図である。
【符号の説明】
【００１９】
１  後方洗面台
２  シャワーホース
３  混合水栓
４  排水路
５  ネックライン
６，６．１，６．２  首部パッキング
７  中空室
８  折り畳み蛇腹
９  折り畳み部
１０，１０．１  伸張可動装置
１１  受容部
１２  受容部側面
１３  圧縮空気発生器
１４  空気供給及び空気排気管
１５  送風器
１６  排気弁
１７  −
１８  水
１９  放水管
２０  解除管
２１  圧力解除弁
２２  作動部／圧力解除弁
２３  水路
２４  切り換え部
２５  切り換え弁
２６  結合部
２７  冷水管
２８  温水管
２９  減圧器
Ａ    伸張可動領域
Ｂ    換気‐及び排気口
【国際公開パンフレット】
2005503877.tif 000003
2005503877.tif 000004
2005503877.tif 000005
2005503877.tif 000006
2005503877.tif 000007
2005503877.tif 000008
2005503877.tif 000009
2005503877.tif 000010
2005503877.tif 000011
2005503877.tif 000012
2005503877.tif 000013
2005503877.tif 000014
2005503877.tif 000015
2005503877.tif 000016
2005503877.tif 000017
【国際調査報告】
2005503877.tif 000018
2005503877.tif 000019
2005503877.tif 000020
2005503877.tif 000021